(57)【要約】【課題】折畳み式携帯電話機を簡単に開き操作が行えると共に、開き操作を行うボタンができるだけ外観に露出しないようにして見映えのよいものとする。【解決手段】折畳み式携帯電話機１（折畳み式携帯端末）に、第１の筐体３と、第２の筐体５と、第１の筐体３と第２の筐体５とを折り畳み開閉自在に連結するヒンジ部６と設ける。第１の筐体３と第２の筐体５とを閉じた状態から、第１の筐体３の表示部カバー３ｂ（被スライド体）を第２の筐体５に対してスライドさせることで、第１の筐体３が第２の筐体５に対して自動的に開くようにする。【選択図】図２
2010135923.tif 000002
【特許請求の範囲】
【請求項１】
第１の筐体と、第２の筐体と、該第１の筐体と第２の筐体とを折り畳み開閉自在に連結するヒンジ部とを備えた折畳み式携帯端末において、
上記第１の筐体と第２の筐体とを閉じた状態から、該第１の筐体の少なくとも一部である被スライド体を第２の筐体に対してスライドさせることで、該第１の筐体が第２の筐体に対して自動的に開くように構成されている
ことを特徴とする折畳み式携帯端末。
【請求項２】
請求項１に記載の折畳み式携帯端末において、
上記ヒンジ部は、
上記第２の筐体のヒンジ部側角部の表面から該第２の筐体の厚さ方向へ膨出する一対の外側ボス部と、
上記第１の筐体のヒンジ部側端部から水平に膨出し、上記一対の外側ボス部に挟持される内側ボス部と、
上記一対の外側ボス部の一方と、上記内側ボス部とに挿通された第１水平ヒンジ軸と、
上記一対の外側ボス部の他方と、上記内側ボス部とに挿通された第２水平ヒンジ軸と、
上記第１水平ヒンジ軸内に設けられ、上記第１の筐体と第２の筐体とを開く方向に付勢すると共に、付勢力を蓄えた状態でロック可能な開操作補助用付勢機構と、
上記第１水平ヒンジ軸に設けられ、上記開操作補助用付勢部材のロックを解除するためのロック解除用ボタンと、
上記被スライド体に連結され、該被スライド体がスライドする際に上記第１及び第２水平ヒンジ軸に対してスライドし、上記ロック解除用ボタンを押す可動プレートと、
を備えていることを特徴とする折畳み式携帯端末。
【請求項３】
請求項２に記載の折畳み式携帯端末において、
上記被スライド体を上記第１及び第２水平ヒンジ軸に対して垂直に該第１及び第２水平ヒンジ軸側へ押してスライドさせ、上記開操作補助用付勢部材のロックを解除するように構成されている
ことを特徴とする折畳み式携帯端末。
【請求項４】
請求項２に記載の折畳み式携帯端末において、
上記被スライド体を上記第１及び第２水平ヒンジ軸に対して垂直に該第１及び第２水平ヒンジ軸と離れる方向に引っ張って上記開操作補助用付勢部材のロックを解除するように構成されている
ことを特徴とする折畳み式携帯端末。
【請求項５】
請求項２乃至４のいずれか１つに記載の折畳み式携帯端末において、
上記第１の筐体は、表示部キャビネットと、該表示部キャビネットを外側から覆う表示部カバーとを備え、
上記表示部カバーは、上記表示部キャビネットに対してスライド可能に構成され、該表示部カバーが上記被スライド体を構成している
ことを特徴とする折畳み式携帯端末。
【請求項６】
請求項５に記載の折畳み式携帯端末において、
上記可動プレートと上記表示部カバーとは、締結部材で締結され、
上記締結部材は、上記表示部キャビネットに形成されたスリット内をスライド可能に構成されている
ことを特徴とする折畳み式携帯端末。
【請求項７】
請求項２乃至６のいずれか１つに記載の折畳み式携帯端末において、
上記可動プレートには、上記第１水平ヒンジ軸が挿通される第１長孔と、上記第２水平ヒンジ軸が挿通される第２長孔とが形成されている
ことを特徴とする折畳み式携帯端末。
【請求項８】
請求項２乃至７のいずれか１つに記載の折畳み式携帯端末において、
上記表示部キャビネットには、スライドされた上記可動プレートが元の位置に戻るように付勢する付勢部材が設けられている
ことを特徴とする折畳み式携帯端末。
【請求項９】
請求項８に記載の折畳み式携帯端末において、
上記付勢部材は、捩りコイルバネであり、一端が上記表示部キャビネットに当接し、他端が上記可動プレートに当接している
ことを特徴とする折畳み式携帯端末。
【請求項１０】
請求項２乃至９のいずれか１つに記載の折畳み式携帯端末において、
上記第２水平ヒンジ軸は、中空に形成され、該第２水平ヒンジ軸には、上記第１の筐体内の基板と上記第２の筐体内の基板とを電気的に接続する信号線が挿通されている
ことを特徴とする折畳み式携帯端末。
【発明の詳細な説明】
【技術分野】
【０００１】
本発明は、折畳み式携帯端末に関し、特にその自動開閉構造に関する。
【背景技術】
【０００２】
従来より、折畳み式携帯電話機では、片手で下筐体を持ち、他方の手で上筐体を持ち上げてヒンジ部を中心に開くようになっており、両手を使って開くのが一般的であった。
【０００３】
しかし、両手を使って開くのが面倒な場合があり、片手だけでワンタッチで開き操作を行いたいというニーズが増えていた。
【０００４】
そこで、例えば特許文献１の折畳み式携帯電話機は、第１筐体と、第２筐体と、第１筐体に固定され、第２筐体を第１筐体に回転自在に連結するためのヒンジ部とを備え、ヒンジ部は、操作部を備え、第２筐体は、操作部の操作に応じて、閉じられた状態を示す第１角度位置から予め決められた角度位置を示す第２角度位置まで開き、操作部の操作がないとき、第１角度位置、第２角度位置、第１角度位置と第２角度位置との間の第３角度位置のいずれか一方の角度位置に維持されるというフリーストップ機能とワンタッチオープン機能とを選択的に利用している。
【０００５】
また、特許文献２の折畳み式携帯電話機は、上筐体及び下筐体と、上筐体及び下筐体の境界線に沿って配置された回動軸を中心として上筐体及び下筐体を相対的に回動可能に連結する連結部と、上下の筐体を自動的に開くワンプッシュ自動開き機構と、ワンプッシュ自動開き機構を操作して上下の筐体を開く解除手段とを備え、解除手段の第１操作部及び第２操作部をそれぞれ連結部の両端部に設け、第１操作部及び第２操作部を連動可能とし、使用者の嗜好や使用する形態、状況等に対応して、各操作部を選択的に操作可能としている。
【特許文献１】特開２００２−３４４５９７号公報
【特許文献２】特開２００６−３２４９２７号公報
【発明の開示】
【発明が解決しようとする課題】
【０００６】
しかしながら、上記特許文献１及び２は、いずれもワンタッチオープンさせるための操作部をヒンジ部の両端に設け、この操作部を押すことでワンタッチオープンが実行されるが、この操作部がヒンジ部の両側面から露出して見映えが悪くなるという問題がある。
【０００７】
本発明は、かかる点に鑑みてなされたものであり、その目的とするところは、簡単に開き操作が行えると共に、ロック解除用ボタンを押す構成が外観上現れないようにして見映えをよくすることにある。
【課題を解決するための手段】
【０００８】
上記の目的を達成するために、この発明では、第１の筐体の少なくとも一部である被スライド体をスライドさせてヒンジ部を中心に開く操作を行うようにした。
【０００９】
具体的には、第１の発明では、第１の筐体と、第２の筐体と、該第１の筐体と第２の筐体とを折り畳み開閉自在に連結するヒンジ部とを備えた折畳み式携帯端末を前提とし、
上記第１の筐体と第２の筐体とを閉じた状態から、該第１の筐体の少なくとも一部である被スライド体を第２の筐体に対してスライドさせることで、該第１の筐体が第２の筐体に対して自動的に開くように構成されている。
【００１０】
上記の構成によると、従来のようにヒンジ部の側面にロックを解除するための操作ボタンを設ける必要がないので見映えがよく、また、第１の筐体の少なくとも一部である被スライド体をスライドさせるだけで第１の筐体が自動的に開き、被スライド体のどの部分に指をかけてスライドさせてもよいので、従来のようにヒンジ部に設けたロック解除用ボタンを手探りして操作するのに比べて開操作が極めて容易である。
【００１１】
第２の発明では、第１の発明において、
上記ヒンジ部は、
上記第２の筐体のヒンジ部側角部の表面から該第２の筐体の厚さ方向へ膨出する一対の外側ボス部と、
上記第１の筐体のヒンジ部側端部から水平に膨出し、上記一対の外側ボス部に挟持される内側ボス部と、
上記一対の外側ボス部の一方と、上記内側ボス部とに挿通された第１水平ヒンジ軸と、
上記一対の外側ボス部の他方と、上記内側ボス部とに挿通された第２水平ヒンジ軸と、
上記第１水平ヒンジ軸内に設けられ、上記第１の筐体と第２の筐体とを開く方向に付勢すると共に、付勢力を蓄えた状態でロック可能な開操作補助用付勢機構と、
上記第１水平ヒンジ軸に設けられ、上記開操作補助用付勢部材のロックを解除するためのロック解除用ボタンと、
上記被スライド体に連結され、該被スライド体がスライドする際に上記第１及び第２水平ヒンジ軸に対してスライドし、上記ロック解除用ボタンを押す可動プレートと、
を備えている。
【００１２】
上記の構成によると、ロック解除用ボタンは、外側ボス部又は内側ボス部内に隠れて一切外観上に現れないので、従来のようにヒンジ部の側面に露出する場合に比べて外観がよく、また、被スライド体をスライドさせてロック解除用ボタンを押圧すればよいので、従来のようにヒンジ部に設けたロック解除用ボタンを手探りして操作するのに比べて開操作が極めて容易である。
【００１３】
第３の発明では、第２の発明において、
上記被スライド体を上記第１及び第２水平ヒンジ軸に対して垂直に該第１及び第２水平ヒンジ軸側へ押してスライドさせ、上記開操作補助用付勢部材のロックを解除するように構成されている。
【００１４】
上記の構成によると、閉じた状態の折畳み式携帯端末を持った指で被スライド体を押せばよいので、開き操作が容易である。
【００１５】
第４の発明では、第２の発明において、
上記被スライド体を上記第１及び第２水平ヒンジ軸に対して垂直に該第１及び第２水平ヒンジ軸と離れる方向に引っ張って上記開操作補助用付勢部材のロックを解除するように構成されている。
【００１６】
上記の構成によると、被スライド体を引き出すようにして開操作補助用付勢部材のロックを解除するので、落下の際の衝撃でロックが解除されにくい。
【００１７】
第５の発明では、第２乃至第４のいずれか１つの発明において、
上記第１の筐体は、表示部キャビネットと、該表示部キャビネットを外側から覆う表示部カバーとを備え、
上記表示部カバーは、上記表示部キャビネットに対してスライド可能に構成され、該表示部カバーが上記被スライド体を構成している。
【００１８】
上記の構成によると、第１の筐体全体をスライドさせるのではなく、表示部カバーのみをスライドさせるようにしているので、携帯電話機を落下させたときに誤って開操作補助用付勢部材のロックが解除されにくい。
【００１９】
第６の発明では、第５の発明において、
上記可動プレートと上記表示部カバーとは、締結部材で締結され、
上記締結部材は、上記表示部キャビネットに形成されたスリット内をスライド可能に構成されている。
【００２０】
上記の構成によると、簡単な構成で、表示部キャビネットは第２の筐体上に残したまま、表示部カバーと可動プレートとを第２の筐体に対してスライドさせることができる。
【００２１】
第７の発明では、第２乃至第６のいずれか１つの発明において、
上記可動プレートには、上記第１水平ヒンジ軸が挿通される第１長孔と、上記第２水平ヒンジ軸が挿通される第２長孔とが形成されている。
【００２２】
上記の構成によると、第１長孔及び第２長孔の延びる方向及び範囲に被スライド体がスライド可能となる。このことから、長孔の構成により、スライド方向を押す方向と引く方向のいずれにも設定できる。
【００２３】
第８の発明では、第２乃至第７のいずれか１つの発明において、
上記表示部キャビネットには、スライドされた上記可動プレートが元の位置に戻るように付勢する付勢部材が設けられている。
【００２４】
上記の構成によると、被スライド体は、スライドされた後に付勢部材により元の位置に戻るので、手で元の位置に戻す操作が不要となる。また、付勢部材の引張力を調整することで軽い衝撃のみで被スライド体がスライドしてロック解除用ボタンが押されるという誤動作が防止される。
【００２５】
第９の発明では、第２乃至第８のいずれか１つの発明において、
上記付勢部材は、捩りコイルバネであり、一端が上記表示部キャビネットに当接し、他端が上記可動プレートに当接している。
【００２６】
上記の構成によると、簡単かつ丈夫な構成の捩りコイルバネによって可動プレートが付勢される。
【００２７】
第１０の発明では、第２乃至第９のいずれか１つの発明において、
上記第２水平ヒンジ軸は、中空に形成され、該第２水平ヒンジ軸には、上記第１の筐体内の基板と上記第２の筐体内の基板とを電気的に接続する信号線が挿通されている。
【００２８】
上記の構成によると、第２ヒンジ軸内に信号線を通す簡単な構成で第１の筐体と第２の筐体とを電気的に接続しながら、被スライド体をスライドさせるだけで第１の筐体を開くことができる。
【発明の効果】
【００２９】
以上説明したように、本発明によれば、第１の筐体の少なくとも一部を第２の筐体に対してスライドさせることで、第１の筐体と第２の筐体とを閉じた状態から第１の筐体が第２の筐体に対して自動的に開くようにしたことにより、簡単に開き操作が行えると共に、ロック解除用ボタンを押す構成が外観上現れないようにして見映えをよくすることができる。
【発明を実施するための最良の形態】
【００３０】
以下、本発明の実施形態を図面に基づいて説明する。
【００３１】
図１〜図１０に本発明の実施形態にかかる折畳み式携帯端末としての折畳み式携帯電話機１を示し、この折畳み式携帯電話機１は、表面に表示部２を備えた第１の筐体３と、表面に操作部４を備えた第２の筐体５とを備えている。これら第１の筐体３と第２の筐体５とは、ヒンジ部６で折り畳み開閉自在に連結されている。第１の筐体３と第２の筐体５とは、共に略矩形板形状を有し、閉じられた状態で略直方体となって携帯が容易となっている。なお、図４〜図１０では、見やすくするために第１の筐体３及びヒンジ部６の内部を見えるようにしている。本実施形態では、説明の都合上、第２の筐体５を縦長にして手に持ったときの上下左右を折畳み式携帯電話機１の上下左右としている。
【００３２】
そして、ヒンジ部６は、第２の筐体５のヒンジ部６側の角部表面から第２の筐体５の厚さ方向へ（表面側へ）膨出する一対の外側ボス部１０を有している。また、第１の筐体３のヒンジ部６側端部には、水平、すなわち第１の筐体３の長手方向に膨出して一対の外側ボス部１０に挟持される内側ボス部１１が形成されている。詳しくは図示しないが、第２の筐体５のヒンジ部６側端部には、内側ボス部１１の一部が入り込むように凹部５ａが形成されている。
【００３３】
図４〜図１０に示すように、これら一対の外側ボス部１０、内側ボス部１１及び第１の筐体３内に金属製のヒンジユニット１２が内蔵されている。図１０及び図１２に拡大して示すように、ヒンジユニット１２は、左側の外側ボス部１０と内側ボス部１１とに挿通された第１水平ヒンジ軸１３を備えている。この第１水平ヒンジ軸１３は、樹脂等よりなる外筒１３ａと、中心軸（図示せず）とが互いに相対回転可能に構成されている。外筒１３ａ内には、第１の筐体３と第２の筐体５とを開く方向に付勢すると共に、付勢力を蓄えた状態でロック可能な開操作補助用付勢機構（図示せず）が設けられている。第１水平ヒンジ軸１３には、ロック解除用ボタン１５が左右内側（右側）へ突出している。ロック解除用ボタン１５は、先端に向かって先細となるように対向するテーパ面１５ａを有している。この第１水平ヒンジ軸１３の軸方向に延びるロック解除用ボタン１５を押圧することで、開操作補助用付勢機構のロックを解除可能に構成されている。
【００３４】
ヒンジユニット１２は、内側ボス部１１に固定されるベース部１６を備えている。ベース部１６は、コ字状のベース部本体１６ａの左側に、水平に延びた後表面側に折れ曲がったＬ字状の延長部１６ｂが連続して形成され、ベース部本体１６ａの左側と延長部１６ｂとに外筒１３ａが回転一体に嵌合される左側貫通孔１６ｃが同心に形成されている。第１水平ヒンジ軸１３の左側から突出する中心軸は、第２の筐体に固定される第２の筐体側取付部１４に嵌合され、中心軸と第２の筐体側取付部１４とが回転一体に連結されている。
【００３５】
ベース部１６の右側にも左側貫通孔１６ｃと同心に右側貫通孔１６ｄが形成され、この右側貫通孔１６ｄには、第２水平ヒンジ軸１７の左端が回転可能に挿通されている。
【００３６】
ヒンジユニット１２は、ベース部１６よりも幅が広い可動プレート１８を有している。可動プレート１８は、左右端部が折り曲げられて左側アーム１８ａ及び右側アーム１８ｂが形成されている。左側アーム１８ａには、第１長孔１８ｃが形成され、右側アーム１８ｂには、第２長孔１８ｄが形成されている。第１長孔１８ｃには第１水平ヒンジ軸１３の外筒１３ａが回転不能にかつ第１長孔１８ｃの長手方向にスライド可能に連結されている。また、第２水平ヒンジ軸１７は、対向する位置に平坦面１７ａを有し、この平坦面１７ａが右側アーム１８ｂの第２長孔１８ｄの対向する長辺に当接するように、第２長孔１８ｄに挿通されている。このことで、第２水平ヒンジ軸１７は、回転不能にかつ第２長孔１８ｄの長手方向にスライド可能に可動プレート１８に連結されている。可動プレート１８は、その平坦な面に例えば４つのネジ孔１８ｅを有している。可動プレート１８の下端部には、背面側に折り曲げられた一対のバネ当接部１８ｆが形成されている。そして、可動プレート１８のロック解除用ボタン１５近傍には、ロック解除用ボタン１５側へ折り曲げられたボタン押込部１８ｇが形成されている。このボタン押込部１８ｇは、第１長孔１８ｃ及び第２長孔１８ｄの直線部分の長さに合わせ、可動プレート１８が上方へスライドする前にはロック解除用ボタン１５に当接せず、スライドしたときに当接するように、切り欠き等を形成することで調整されている。
【００３７】
第２水平ヒンジ軸１７は、中心に貫通孔１７ｂを有し、詳しくは図示しないが、この貫通孔１７ｂには、第１の筐体３内の基板と第２の筐体５内の基板とを電気的に接続する信号線が挿通されている。このように簡単な構成で、第１の筐体３と第２の筐体５との開閉操作を阻害することなく、両基板が電気的に接続されている。
【００３８】
そして、図７に示すように、第１の筐体３は、表示部キャビネット３ａと、この表示部キャビネット３ａを外側から覆う、被スライド体としての表示部カバー３ｂとを備えている。表示部カバー３ｂは、厚さ方向に分割された表面側キャビネット３ｃと裏面側キャビネット３ｄとを有している。詳しくは図示しないが、裏面側キャビネット３ｄ内に液晶ディスプレイや有機ＥＬディスプレイ、通話用スピーカなどが内蔵されている。表面側キャビネット３ｃのヒンジ部６側には、表面側キャビネット３ｃの長手方向に延びる一対のスライド用スリット５１が形成されている。表示部カバー３ｂのヒンジ部６側端部には、左右に延びるストッパ５２が厚さ方向へ（表面側へ）突設され、このストッパ５２に表示部カバー３ｂのヒンジ部６側端部が当接するように構成されている。このことで、表示部カバー３ｂのヒンジ部６側へのスライド範囲が規定されている。
【００３９】
表示部カバー３ｂのヒンジ部６側には、４つのボルト挿通孔５３が形成されている。このボルト挿通孔５３に締結部材としてのボルト５０が挿通された後、表示部キャビネット３ａのスリット５１を通って可動プレート１８のネジ孔１８ｅに締結されている。ボルト５０がスリット５１内をスライドするようにすることで、簡単な構成で、表示部キャビネット３ａは第２の筐体５上に残したまま、表示部カバー３ｂと可動プレート１８とを第２の筐体５に対してスライドさせることができるようになっている。また、第１長孔１８ｃ及び第２長孔１８ｄの延びる方向及び範囲に表示部カバー３ｂがスライド可能となっている。このことから、長孔１８ｃ，１８ｄの構成やストッパ５２の有無などにより、スライド方向を押す方向と引く方向のいずれにも設定できるようになっている。
【００４０】
このような構成により、折畳み式携帯電話機１は、第１の筐体３と第２の筐体５とを閉じた状態から、第１の筐体３の少なくとも一部である被スライド体としての表示部カバー３ｂを第２の筐体５に対してスライドさせることで、可動プレート１８がロック解除用ボタン１５を押し、第１の筐体３が第２の筐体５に対して自動的に開くように構成されている。
【００４１】
また、表示部キャビネット３ａには、スライドされた上記可動プレート１８が元の位置に戻るように付勢する付勢部材としての一対の捩りコイルバネ２０が設けられている。捩りコイルバネ２０の一端２０ａは、表示部キャビネット３ａ（表面側キャビネット３ｃ）の内面に当接している。一方、他端２０ｂは、ヒンジ部６側へ折り曲げられ、その折り曲げられた部分が可動プレート１８のバネ当接部１８ｆの下面に当接している。このことで、可動プレート１８が下方にスライドされると、バネ当接部１８ｆが捩りコイルバネ２０の他端２０ｂを押し下げて捩り角度αが小さくなって、捩りコイルバネ２０に弾性エネルギーが蓄えられ、可動プレート１８を上方へ押し戻そうとする力が発生するようになっている。
【００４２】
−作動−
次に、本実施形態にかかる折畳み式携帯電話機１の作動について説明する。
【００４３】
携帯時などの待機時には、図１、図４及び図８に示すように、傷が入りやすい表示部２を内側にして第１の筐体３が第２の筐体５に対して閉じられた状態にある。このとき、表示部キャビネット３ａと表示部カバー３ｂとは下辺が揃うように重なり合っているので、見映えがよい。そして、捩りコイルバネ２０が可動プレート１８を適度な力で上方へ押圧することにより、落下時などに誤って第１の筐体３が開くのが防止されている。また、図１１に示すように、ボタン押込部１８ｄは、ロック解除用ボタン１５を押圧していない。
【００４４】
そして、使用時に第１の筐体３と第２の筐体５とを開く場合には、図２及び図５に矢印で示すように、第１の筐体３を下方へスライドさせる。このとき、表示部カバー３ｂを下方へスライドするだけでよいので、表示部カバー３ｂのどの部分に指を掛けてもよく、操作が容易である。このとき、ユーザが表示部カバー３ｂを上方へスライドさせようとしても、ストッパ５２があるので、上方へはスライドしない。このため、表示部カバー３ｂのスライド方向を操作し間違えることはない。
【００４５】
表示部カバー３ｂを下方へスライドさせると、図１２に示すように、可動プレート１８が下方へ移動し、ボタン押込部１８ｄがロック解除用ボタン１５を押圧する。同時に図９に示すように、捩りコイルバネ２０の他端２０ｂが押されて捩りコイルバネ２０の捩り角度αが小さくなって弾性エネルギーが蓄積される。
【００４６】
ロック解除用ボタン１５が押し込まれると、開操作補助用付勢機構のロックが解除され、図３、図６及び図１０に示すように、第１の筐体３が第２の筐体５に対して一気に押し開かれる。
【００４７】
そして、第１の筐体３が押し開かれるときには、捩りコイルバネ２０に可動プレート１８が押し戻され、表示部カバー３ｂのヒンジ部６側端部がストッパ５２に当接して表示部キャビネット３ａとが重なり合う位置に戻る。このため、表示部カバー３ｂを押し戻す操作が不要となる。
【００４８】
このように、ロック解除用ボタン１５は、一切外観上に現れないので、従来のようにヒンジ部６の側面に露出する場合に比べて外観がよく、また、表示部カバー３ｂをスライドさせてロック解除用ボタン１５を押圧すればよいので、従来のようにヒンジ部６に設けたロック解除用ボタン１５を手探りして操作するのに比べて開操作が極めて容易である。
【００４９】
さらに、第１の筐体３全体をスライドさせるのではなく、表示部カバー３ｂのみを下方へスライドさせるようにしているので、折畳み式携帯電話機１を落下させたときに誤って開操作補助用付勢部材のロックが解除されにくい。
【００５０】
−実施形態の効果−
したがって、本実施形態にかかる折畳み式携帯電話機１において、表示部カバー３ｂを第２の筐体５に対してスライドさせることで、第１の筐体３と第２の筐体５とを閉じた状態から第１の筐体３が第２の筐体５に対して自動的に開くようにしたことにより、簡単に開き操作が行えると共に、ロック解除用ボタン１５を押す構成が外観上現れないようにして見映えをよくすることができる。
【００５１】
−実施形態の変形例−
上記実施形態では、表示部カバー３ｂを下方へスライドさせるようにしているが、上方へスライドさせるようにしてもよい。
【００５２】
具体的には、本変形例の折畳み式携帯電話機１において、図１３に示す待機状態では、表示部キャビネット３ａと、被スライド体としての表示部カバー３ｂとが重なった状態で、第１水平ヒンジ軸１３が第１長孔１８ｃの下方にあり、第２水平ヒンジ軸１７が第２長孔１８ｄの下方にある。このとき、ボタン押込部１８ｇは、ロック解除用ボタン１５を押していない。
【００５３】
そして、図１４及び図１６に示すように、表示部カバー３ｂを上方へ押してスライドさせると、第１水平ヒンジ軸１３が第１長孔１８ｃの上方に移動し、かつ第２水平ヒンジ軸１７が第２長孔１８ｄの上方に移動する。そして、ボタン押込部１８ｇがロック解除用ボタン１５を押す。本変形例の捩りコイルバネ２０は、一端２０ａが表示部キャビネット３ａに固定され、他端２０ｂがバネ当接部１８ｆに引っ掛けられている。そして、可動プレート１８が上方にスライドすることで他端２０ｂが一端２０ａに対して拡げられ、捩り角度α’が大きくなって元に戻ろうとするエネルギーが蓄積される。
【００５４】
すると、図１５に示すように、第１の筐体３が一気に第２の筐体５に対して開く。そして、捩りコイルバネ２０の作用によって、表示部キャビネット３ａと表示部カバー３ｂとが重なった状態に自動的に戻る。
【００５５】
（その他の実施形態）
本発明は、上記実施形態について、以下のような構成としてもよい。
【００５６】
すなわち、上記実施形態では、被スライド体として、表示部カバー３ｂのみをスライドさせて可動プレート１８を動かし、ロック解除用ボタン１５を押すようにしているが、第１の筐体３全体を被スライド体としてスライドさせてロック解除用ボタン１５を押すようにしてもよい。
【００５７】
上記実施形態では、第１水平ヒンジ軸１３を左側に、第２水平ヒンジ軸１７を右側に配置したが、第１水平ヒンジ軸１３を右側に、第２水平ヒンジ軸１７を左側に配置してもよい。
【００５８】
上記実施形態では、折畳み式携帯端末を折畳み式携帯電話機１としたが、折畳み式のものであれば、ＰＨＳ、ＰＤＡ、ＰＣ、モバイルツール、電子辞書、電卓、ゲーム機等であってもよい。
【００５９】
なお、以上の実施形態は、本質的に好ましい例示であって、本発明、その適用物や用途の範囲を制限することを意図するものではない。
【図面の簡単な説明】
【００６０】
【図１】本発明の実施形態にかかる折畳み式携帯電話機の閉じた状態を示す斜視図である。
【図２】折畳み式携帯電話機の閉じた状態から表示部カバーを下方へスライドさせる様子を示す斜視図である。
【図３】折畳み式携帯電話機を開いた状態を示す斜視図である。
【図４】ヒンジユニットが見えるようにした図１相当図である。
【図５】ヒンジユニットが見えるようにした図２相当図である。
【図６】ヒンジユニットが見えるようにした図３相当図である。
【図７】閉じた状態の折畳み式携帯電話機の第１の筐体を分解した斜視図である。
【図８】折畳み式携帯電話機の閉じた状態におけるヒンジユニットが見えるようにした図であり、（ａ）が平面図で、（ｂ）が側面図で、（ｃ）が底面図である。
【図９】折畳み式携帯電話機の閉じた状態から表示部カバーをスライドさせた状態におけるヒンジユニットが見えるようにした図であり、（ａ）が平面図で、（ｂ）が側面図で、（ｃ）が底面図である。
【図１０】折畳み式携帯電話機の開いた状態におけるヒンジユニットが見えるようにした図であり、（ａ）が平面図で、（ｂ）が側面図で、（ｃ）が底面図である。
【図１１】折畳み式携帯電話機を閉じた状態でスライド前のヒンジユニットを示し、（ａ）が上方から見た斜視図で、（ｂ）が下方から見た斜視図である。
【図１２】折畳み式携帯電話機を閉じた状態でスライドしたときのヒンジユニットを示し、（ａ）が上方から見た斜視図で、（ｂ）が下方から見た斜視図である。
【図１３】本発明の実施形態の変形例にかかる折畳み式携帯電話機の閉じた状態におけるヒンジユニットを見えるようにした斜視図である。
【図１４】変形例にかかる折畳み式携帯電話機の閉じた状態で表示部カバーを上方へスライドさせた状態におけるヒンジユニットを見えるようにした斜視図である。
【図１５】変形例にかかる折畳み式携帯電話機の開いた状態におけるヒンジユニットを見えるようにした斜視図である。
【図１６】変形例にかかる折畳み式携帯電話機を閉じた状態でスライドしたときのヒンジユニットが見えるようにした図であり、（ａ）が平面図で、（ｂ）が側面図で、（ｃ）が底面図である。
【符号の説明】
【００６１】
１      折畳み式携帯電話機（折畳み式携帯端末）
３      第１の筐体
３ａ    表示部キャビネット
３ｂ    表示部カバー（被スライド体）
５      第２の筐体
６      ヒンジ部
１０      外側ボス部
１１      内側ボス部
１３      第１水平ヒンジ軸
１５      ロック解除用ボタン
１７      第２水平ヒンジ軸
１７ｂ    貫通孔
１８      可動プレート
１８ｃ    第１長孔
１８ｄ    第２長孔
２０      捩りコイルバネ（付勢部材）
５０      ボルト（締結部材）
５１      スリット
【図１】
2010135923.tif 000003
【図２】
2010135923.tif 000004
【図３】
2010135923.tif 000005
【図４】
2010135923.tif 000006
【図５】
2010135923.tif 000007
【図６】
2010135923.tif 000008
【図７】
2010135923.tif 000009
【図８】
2010135923.tif 000010
【図９】
2010135923.tif 000011
【図１０】
2010135923.tif 000012
【図１１】
2010135923.tif 000013
【図１２】
2010135923.tif 000014
【図１３】
2010135923.tif 000015
【図１４】
2010135923.tif 000016
【図１５】
2010135923.tif 000017
【図１６】
2010135923.tif 000018